(57)【特許請求の範囲】
【請求項１】
車両のフロアに設けた左右一対のロアレールと、シートの下面に設け上記ロアレールにスライド可能に係合するアッパレールと、該アッパレールの下面に設け上記ロアレールの底面状を転動するローラと、上記アッパレールに設けられ上下方向に移動操作可能なロックプレートと、上記ロアレールの底面に長手方向に所定の間隔をおいて複数個所に設けられ、下方に移動操作した上記ロックプレートの突起が係合することによりアッパレールをその位置に固定するロック孔とを備えた車両用シートスライド装置において、上記ロアレールの底面に、長手方向に所定の間隔をおいて複数個所に上記ローラの幅より小さい幅の凹部を形成し、該凹部の底面に上記ロック孔を形成したことを特徴とする車両用シートスライド装置。
【発明の詳細な説明】
【０００１】
【発明の属する技術分野】
本発明は、車両のシートスライド装置に関し、特にアッパレールに設けたロックプレートをロアレールに形成したロック孔に係合させてシートの位置を固定するシートスライド装置に関する。
【０００２】
【従来の技術】
図３（Ａ），（Ｂ）は従来のシートスライド装置の異なる位置での断面を示すものである。ワゴン車等の車両のフロア上には前後方向に延びる左右一対のロアレール１Ａ（図はその一方を示す）が設けられ、各ロアレール１Ａに係合し、ローラ３によりスライド自在としたアッパレール２が設けられ、アッパレール２に支持固定せしめた図略のシートを前後移動可能としてある。
【０００３】
ロアレール１Ａの底面１２にはレール長手方向に所定の間隔をおいてロック孔１４が形成してある。一方、アッパレール２にはバネ体により下降方向に付勢され、レバー５を操作することで引き上げ可能としたロックプレート４が設けてある。
【０００４】
シートは上記ロックプレート４の下端の突起部４１が上記ロック孔１４内に進入して位置固定される。シートを別の位置に移動させるときには上記ロックレバー５により引き上げて突起部４１をロック孔１４から脱出させた状態でシートを前後方向に移動させ、所定の位置付近まで移動したところでレバー５から手を放す。するとロックプレート４が下降してその突起部４１がロアレール１Ａの底面１２に当接し、他のロック孔１４位置に至ると該ロック孔１４に上記突起４１が進入し、シートはその位置で固定される。
【０００５】
【発明が解決しようとする課題】
ところで、上記従来のシートスライド装置にあっては、シートを所望の位置に移動操作する際に、ロアレール１Ａのロック孔１４の前縁または後縁にロックプレート４の突起部４１がかなりの力で衝突する。このため、図４に示すようにロック孔１４の縁が次第に変形して突起７が形成されることがある。この突起７がローラ３が通過する際に干渉して異音を発生するという問題がある。
【０００６】
そこでこの不具合を解消するために、発明者らにより次の各手段が案出された。（１）ローラ３は、その周面のうち、ロアレール１Ａの底面１２のロック孔に対応する中央部分を凹形状にする（図５（Ａ））。（２）上記ロック孔を避けるように、小幅のローラ３Ａ，３Ｂを幅方向に間隔を空けて配置して中央部を逃げるようにする（図５（Ｂ））。（３）ロアレール１Ａの底面１２の幅方向中央部に長手方向に一連に延びる凹溝１３Ａを形成し、該凹溝１３Ａに長手方向に所定の間隔をおいてロック孔１４を形成する（図５（Ｃ））。（４）ロック孔１４の角部を面取りしてエッジを無くする（図略）。
【０００７】
しかしながら、（１）の手段については、ローラ３が特殊形状となるためコストアップになる。（２）の手段については、ローラの使用個数が増加するためコストアップになる。（３）の手段については、ロアレール一Ａ全体の断面形状が複雑であるため型費がアップする。（４）の手段については、面取り部の周辺が変形することがあり、この場合には効果がない、という問題がある。
【０００８】
本発明は、上記各問題点を解決するものでロック孔の周縁に変形突起が生じても、これをローラ滑走面から逃がすのに最も低コストで対処することのできる車両用スライド装置を提供することを課題としてなされたものである。
【０００９】
【課題を解決するための手段】
本発明は、車両のフロアに設けた左右一対のロアレールと、シートの下面に設け上記ロアレールにスライド可能に係合するアッパレールと、該アッパレールの下面に設け上記ロアレールの底面状を転動するローラと、上記アッパレールに設けられ上下方向に移動操作可能なロックプレートと、上記ロアレールの底面に長手方向に所定の間隔をおいて複数個所に設けられ、下方に移動操作した上記ロックプレートの突起が係合することによりアッパレールをその位置に固定するロック孔とを備えた車両用シートスライド装置において、上記ロアレールの底面に、長手方向に所定の間隔をおいて複数個所に上記ローラの幅より小さい幅の凹部を形成し、該凹部の底面に上記ロック孔を形成したことを特徴とする。
【００１０】
これにより、ロアレールの一般断面は従来と同じで、ロック孔の周辺部だけローラの幅よりも小さい幅の凹部をロック孔の打抜き加工と同時に打ち出し加工することで、コストアップすることなく、ロック孔部分のみローラ滑走面から逃がして変形突起が発生しても異音の発生を防止することができる。
【００１１】
【発明の実施の形態】
図１および図２に本発明の実施形態を示す。ワゴン車等の車両のフロア上には車両前後方向に延びる左右一対の長尺のロアレール１が設けられ、該ロアレール１にはそれぞれアッパレール２がローラ３によりスライド自在に設けられている。
【００１２】
アッパレール２はロアレール１に両側縁で長手方向に移動自在かつ、上下方向には移動が規制されるように係合せしめられており、アッパレール２には、その下面の前後端部に設けたブラケット６にローラ３を軸支して、該ローラ３によりロアレール１の底面１２を転動自在としてある。また、アッパレール２の立壁２１の前端部寄り位置にはロックプレート４が設けられている。ロックプレート４は、アッパレール２の２枚の縦壁２１の間に隙間を設けて、この隙間に上下に移動可能に設けてあり、下降端位置ではロックプレート４の下端に形成した前後一対の突起部４１がロアレール１の底面１２に沿って長手方向に所定の複数位置に設けられた前後一対のロック孔１４内に進入し係合して、アッパレール２をシートとともにその位置に固定して移動を規制し、位置決め状態となる。
【００１３】
上記ロックプレート４は、常時解除レバー５を介して図略のバネ体によって下降進出方向に付勢されている。ロックプレート４は図略の操作手段により解除レバー５を操作し、バネ体の付勢力に抗して引き上げられて突起部４１がロック孔１４内から脱出して位置決め状態が解除され、アッパレール２の自由な移動が可能となり、シートを所望の別の位置に移動できその位置で固定し得る。上記シートを別の位置に移動させるには、ロックプレート４の突起部４１をロアレール１のロック孔１４内から引き上げた状態でシートを移動し、所望の位置付近まで移動したところで操作手段から手を放す。すると、解除レバー５がバネ体の付勢力によりロックプレート４を下降させ突起部４１がロック孔１４位置に至ると突起部４１がロック孔１４内に進入して係合し、シートをその位置で固定する。以上の構造および作用は従来装置と実質的に同じである。
【００１４】
図１は本発明の特徴を示すもので、ロアレール１の底面１２には所定の間隔をおいて複数個所に凹部１３が段付け形成してある。各凹部１３は前後方向に長い矩形状で、その前後長は上記ロックプレート４の下端の前後一対の突起部４１間の間隔よりも長く、幅は上記ローラ３の幅よりも狭く設定してある。ロアレール１の底面１２の一般面と、凹部１３の底面との段差は１ｍｍ程度としてある。上記凹部１３には、上記一対の突起部４１間の間隔と同一の間隔をおいて、上記突起部４１が進入可能な前後一対のロック孔１４が貫設してある。凹部１３およびロック孔１４は、打抜きポンチを備えたプレス加工機により同時に形成する。
【００１５】
上記構造によれば、ロック孔１４の周辺部が凹部１３によりロアレール１の底面１２より低く設定されているので、シートを別の位置に移動する際に、ローラ３は上記ロック孔１４周辺部の通過時に凹部１３をまたぐ形となる。従って、ロック孔１４の周縁にロックプレート４の衝突で突起７（図４）が生じても、該突起７が凹部１３の段差寸法を越えない限り、ローラ３は、ロック孔１４周辺部を滑走する際に突起７に干渉することがなく異音を発生することはない。
【００１６】
【発明の効果】
本発明によれば、ロアレールの凹部をロック孔の周辺部だけロック孔の打抜き加工と同時にプレス加工するのみで形成でき、コストアップすることもなく、従来のようなローラとロック孔周縁の突起との干渉による異音の発生を防止することができる。
【図面の簡単な説明】
【図１】本発明のシートスライド装置の要部を示すもので、図１（Ａ）および図１（Ｂ）はそれぞれ図２のＩＡ−ＩＡ線およびＩＢ−ＩＢ線に沿う断面図、図１（Ｃ）はロアレールの要部平面図、図１（Ｄ）は図１（Ｃ）のＩＤ−ＩＤ線に沿う断面図である。
【図２】本発明のシートスライド装置の側面図である。
【図３】（Ａ）および（Ｂ）はそれぞれ、従来のシートスライド装置の図１（Ａ）および図１（Ｂ）に対応する図である。
【図４】従来のシートスライド装置に発生する不具合を示す図である。
【図５】（Ａ），（Ｂ），および（Ｃ）はそれぞれ、本発明を達成する過程で発明者により案出されたシートスライド装置の要部断面を示す図である。
【符号の説明】
１  ロアレール
１２  底面
１３  凹部
１４  ロック孔
２  アッパレール
２１  立壁
３  ローラ
４  ロックプレート
４１  突起部
５  解除レバー
【図１】
0003690227.tif 000002
【図２】
0003690227.tif 000003
【図３】
0003690227.tif 000004
【図４】
0003690227.tif 000005
【図５】
0003690227.tif 000006